(57)【要約】【課題】ケージ内で飼育されるウサギ等の小動物用のかじり材であって、ケージ内におけるかじり材の専有スペースを小さくしつつ、かじる部分を大きくすることができ、遊具としての面白みも発揮できる小動物用のかじり材を提供する。【解決手段】本発明のかじり材１は、小動物によってかじられるかじり体２と、かじり体２に設けられ、ケージＣを成すワイヤーＷに係合されることで、かじり体２をワイヤーＷにそのワイヤーＷを中心として回転自在に装着するための係合部３とを備えている。かじり体２がワイヤーＷを中心に回転することで、ケージＣの外方に突出したかじり体２の部分がケージＣの内方に移動するため、ケージＣ内におけるかじり材１の専有スペースを小さくすることと、ケージＣ内で飼われる小動物がかじる部分を大きくすることを両立でき、遊具としての面白みも発揮できる。【選択図】図３
2014050363.tif 000002
【特許請求の範囲】
【請求項１】
ケージ内にて飼育される小動物用のかじり材であって、
前記小動物によってかじられるかじり体と、
該かじり体に設けられ、前記ケージを成すワイヤーに係合されることで、前記かじり体を前記ワイヤーにそのワイヤーを中心として回転自在に装着するための係合部と
を備えたことを特徴とする小動物用のかじり材。
【請求項２】
前記係合部が、前記かじり体の表面から内方に向けて形成され前記ワイヤーが押し込まれるワイヤー押込溝と、該ワイヤー押込溝の底に形成され前記ワイヤーを回転自在に収容するワイヤー収容部とを有し、
前記ワイヤー押込溝が、前記ワイヤーを押し込んだ際に前記ワイヤーが接触する部分の溝幅が前記ワイヤーの径に応じて拡大し、前記ワイヤーが通過した後の溝幅が前記ワイヤーの径より小さい溝幅に復元する請求項１に記載の小動物用のかじり材。
【請求項３】
前記ワイヤー収容部が、前記かじり体の重心位置に配置された請求項２に記載の小動物用のかじり材。
【請求項４】
前記かじり体に、前記ワイヤー押込溝の開口と反対側に位置して、前記ワイヤー押込溝の深さ方向と直交する押圧面を形成した請求項２又は３に記載の小動物用のかじり材。
【請求項５】
前記かじり体が、多角形の角柱体から成る請求項２から４の何れか１項に記載の小動物用のかじり材。
【請求項６】
前記ワイヤー押込溝が、前記角柱体を軸方向から見たとき、前記角柱体の角部と前記ワイヤー収容部とを結ぶラインと交差するように形成された請求項５に記載の小動物用のかじり材。
【請求項７】
前記かじり体が、木材から成る請求項１から６の何れか１項に記載の小動物用のかじり材。
【請求項８】
前記木材が、広葉樹である請求項７に記載の小動物用のかじり材。
【発明の詳細な説明】
【技術分野】
【０００１】
本発明は、ケージ内で飼育されるウサギ、ハムスター等の物をかじる性質を有する小動物用のかじり材に関する。
【背景技術】
【０００２】
ウサギ、ハムスター、モルモット、リス、フェレット、ネズミ等の小動物（齧歯類等）の前歯（切歯）は生涯伸び続ける。そのため、野生のウサギは、木の枝、木片等の固い物をかじることで前歯の伸びを防止している。固いものをかじらないと、前歯が適切な長さを超えて長くなるため、噛み合わせが悪くなって不正咬合が生じ、餌が上手く食べられなくなり、死に至る場合も有る。このため、ケージ内で飼われているペットのウサギの場合、かじり木を与えている。
【０００３】
従来、飼いウサギ用のかじり木として、図９に示すように、ケージ内の床に載置するタイプのかじり木Ｘが知られている（特許文献１参照）。この床載置タイプのかじり木Ｘは、中央に切れ込みが入った略長方形の板材Ｘ１を上方から見て十字状に組み立てて構成されている。このかじり木Ｘは、転がることなく安定してケージ内の床に載置できるため、汚れ難く、汚れた木をかじらない習性を有するウサギであってもかじりの忌避を抑制できる。
【０００４】
別のウサギ用のかじり木として、図１０に示すように、ケージＣの側面のワイヤー（金属製ワイヤー）ＷにワッシャーＹ１と蝶ネジＹ２で固定するタイプのかじり木Ｙが知られている。このケージ固定タイプのかじり木Ｙは、ウサギによってかじられるかじり部Ｙ３と、ケージＣの側面を成すワイヤーＷに固定する固定部Ｙ４とを有し、かじり部Ｙ３がケージＣの内方に突出するようにして、固定部Ｙ４をワイヤーＷに蝶ネジＹ２ｄ及びワッシャーＹ１等によって固定する。
【先行技術文献】
【特許文献】
【０００５】
【特許文献１】特開平９−７４９４４号公報
【発明の概要】
【発明が解決しようとする課題】
【０００６】
ところで、図９に示す従来の床置きタイプのかじり木Ｘは、ケージ内の床に載置されるものであるため、ケージ内におけるウサギの生活床面積を侵食してしまう。また、ウサギはかじり木Ｘの角部をかじる習性を有するが、床に接触しているかじり木Ｘの底面の角部Ｘ２は、かじることができない。また、かじり木Ｘの底面の角部Ｘ２は、床との接触で汚れるため、仮に上下逆向きにしたとしてもかじらないこともあり、かじり木Ｘの全表面をかじりに有効利用できているとは言えない。加えて、専らかじるのみであり、遊具としての面白みに欠け、改善の余地が残されている。
【０００７】
また、図１０に示す従来のケージ固定タイプのかじり木Ｙは、かじり部Ｙ３がケージＣの側面から空中にて内方に突出するため、ケージＣ内のウサギの生活床面積は侵食されないものの、ケージＣ内で飼われてるウサギの三次元的（上下方向を含めた立体的な）な生活空間（生活スペース）を圧迫することになり、ウサギのストレスとなり得る。また、ケージＣの側面に固定されるため、かじり部Ｙ３のケージＣ側面と対向する部分Ｙ５がかじり難く、かじり部Ｙ３の全表面をかじりに有効利用できているとは言えない。また、蝶ネジＹ２及びワッシャーＹ１を用いてケージＣに装着しているので、装着位置を移動させる際の着脱が面倒であり、加えて、蝶ネジＹ２やワッシャーＹ１等の締結具の分のコストアップが避けられない。また、専らかじるのみであり、遊具としての面白みに欠ける。
【０００８】
以上の事情を考慮して創案された本発明の目的は、ケージ内で飼育されるウサギ等の小動物用のかじり材であって、ケージ内におけるかじり材の専有スペースを小さくしつつ、かじる部分を大きくすることができ、遊具としての面白みも発揮でき、低コスト化を図った小動物用のかじり材を提供することにある。
【課題を解決するための手段】
【０００９】
上述の目的を達成すべく創案された本発明に係る小動物用のかじり材は、ケージ内にて飼育される小動物用のかじり材であって、小動物によってかじられるかじり体と、かじり体に設けられ、ケージを成すワイヤーに係合されることで、かじり体をワイヤーにワイヤーを中心として回転自在に装着するための係合部とを備えたことを特徴とする。
【００１０】
本発明に係る小動物用のかじり材は、係合部が、かじり体の表面から内方に向けて形成されワイヤーが押し込まれるワイヤー押込溝と、ワイヤー押込溝の底に形成されワイヤーを回転自在に収容するワイヤー収容部とを有し、ワイヤー押込溝が、ワイヤーを押し込んだ際にワイヤーが接触する部分の溝幅がワイヤーの径に応じて拡大し、ワイヤーが通過した後の溝幅がワイヤーの径より小さい溝幅に復元するものであることが好ましい。
【００１１】
本発明に係る小動物用のかじり材は、ワイヤー収容部が、かじり体の重心位置に配置されることが好ましい。
【００１２】
本発明に係る小動物用のかじり材は、かじり体に、ワイヤー押込溝の開口と反対側に位置して、ワイヤー押込溝の深さ方向と直交する押圧面を形成することが好ましい。
【００１３】
本発明に係る小動物用のかじり材は、かじり体が、多角形の角柱体から成ることが好ましい。
【００１４】
本発明に係る小動物用のかじり材は、ワイヤー押込溝が、角柱体を軸方向から見たとき、角柱体の角部とワイヤー収容部とを結ぶラインと交差するように形成されることが好ましい。
【００１５】
本発明に係る小動物用のかじり材は、かじり体が、木材から成ることが好ましい。
【００１６】
本発明に係る小動物用のかじり材は、かじり体の木材が、広葉樹であることが好ましい。
【発明の効果】
【００１７】
本発明に係る小動物用のかじり材よれば次のような効果を発揮できる。
【００１８】
（１）ケージのワイヤーに装着されるので、従来の床置タイプのかじり木（図９参照）のように、ケージ内の小動物（ウサギ等）の生活床面積を侵食することはない。
【００１９】
（２）ケージのワイヤーに回転自在に装着されるので、かじり体の一部がケージの外方に突出することになり、従来のケージ固定タイプのかじり木（図１０参照）と比べて、ケージ内におけるかじり木の専有スペースが小さくなり、ケージ内の小動物の生活スペースの侵食を抑えられる。
【００２０】
（３）かじり体がワイヤーを中心に回転することで、ケージの外方に突出したかじり体の部分がケージの内方に移動するので、かじり体の略全表面をケージ内の小動物がかじることができる。よって、ケージ内におけるかじり材のための専有スペースを小さくすることと、ケージ内の小動物がかじる部分を大きくすることを両立できる。
【００２１】
（４）小動物のかじりによってかじり体がワイヤーを中心に回転することで、或いは小動物が前足によってかじり体をワイヤーを中心に回転させることで、遊具としての面白みも発揮でき、小動物のストレスを解消できる。
【００２２】
（５）ケージのワイヤーに装着されることでワイヤーがかじり体によって覆われるため、小動物がワイヤーを直接かじることを防止できる。よって、ワイヤーをかじることによる小動物の歯の病気（不正咬合等）や歯の損傷を防止できる。
【００２３】
（６）ケージのワイヤー係合して装着され、ネジ等の締結具が不要なので、ケージへの着脱が容易であり、また、ネジ等の締結具が不要となる分、低コスト化を図ることができる。
【図面の簡単な説明】
【００２４】
【図１】本発明の一実施形態に係る小動物用のかじり材の説明図であり、（ａ）は、かじり材の斜視図、（ｂ）は、かじり材をケージのワイヤーに装着した側面図である。
【図２】上記かじり材をケージのワイヤーに装着する工程を示す説明図であり、（ａ）は装着前の説明図、（ｂ）は装着途中の説明図、（ｃ）は装着後の説明図である。
【図３】上記かじり材をケージのワイヤーに装着した斜視図である。
【図４】図３の側断面図である。
【図５】本発明の第１変形例に係るかじり材をケージのワイヤーに装着した側面図である。
【図６】本発明の第２変形例に係るかじり材をケージのワイヤーに装着した斜視図である。
【図７】本発明の第３変形例に係るかじり材をケージのワイヤーに装着した斜視図である。
【図８】本発明のその他の変形例に係るかじり材を示す説明図である。
【図９】第１従来例としてのウサギ用かじり木（床置きタイプ）を示す斜視図である。
【図１０】第２従来例としてのウサギ用かじり木（ケージ固定タイプ）をケージに固定した斜視図である。
【発明を実施するための形態】
【００２５】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２６】
（小動物用のかじり材１）
図１〜図４を用いて本実施形態に係る小動物用のかじり材１の概要を説明する。図１（ａ）は、かじり材１の斜視図、図１（ｂ）は、かじり材１をケージＣのワイヤーＷに装着した側面図、図２（ａ）〜図２（ｃ）は、かじり材１をケージＣのワイヤーＷに装着する工程を示す説明図、図３は、かじり材１をケージＣのワイヤーＷに装着した斜視図、図４は、図３の側断面図である。
【００２７】
図１、図３に示すように、このかじり材１は、ケージＣ内にて飼育されるウサギ等の小動物によってかじられるかじり体２と、かじり体２に設けられ、ケージＣを成すワイヤー（金属製ワイヤー）Ｗに係合される係合部３とを備えている。ケージＣ内にて飼育される小動物としては、ウサギの他、ハムスター、モルモット、リス、フェレット、ネズミ等、齧歯類の小動物が考えられるが、これらに限られず、物をかじる習性を有する全ての小動物を含む。以下、本実施形態に係るかじり材を、構成要素毎に説明する。
【００２８】
（かじり体２）
図１に示すように、本実施形態に係るかじり材１は、小動物によってかじられるかじり体２を有する。かじり体２は、断面方形（断面正方形）の角柱体（四角柱体２１）からなっている。ウサギ等の小動物はかじり体２の角部２ａを好んでかじる習性があるからである。四角柱体２１の寸法は、縦３ｃｍ、横３ｃｍ、長さ５ｃｍとなっているが、この寸法に限定されることはない。かじり体２は、本実施形態にように断面正方形の角柱体（四角柱体２１）に限られるものではなく、断面長方形の角柱体や、断面多角形（三角形、五角形、六角形以上）の角柱体であってもよく、断面星形や断面丸形の柱体でも構わない。かじり体２を断面丸形の柱体（円柱体）とした場合、側面に溝や筋（細い溝）を付けることで小動物がかじり易くすることが望ましい。
【００２９】
かじり体２の材質には木材が用いられる。木材は、ウサギ等の小動物によってかじられた際、適度に破砕され小動物の前歯が伸びることを抑制できる硬さを有し、小動物が仮に飲み込んだとしても害がない。かじり体２に用いる木材は、広葉樹（桐等）が好ましい。針葉樹（松、杉、パイン材等）の木材をウサギ、ハムスター等の小動物がかじった場合、アレルギー疾患を引き起こす可能性が考えられるからである。本実施形態では、広葉樹として桐の木材が四角柱状に切り出され、かじり体２となっている。なお、ウサギ等の小動物が飲み込んでも害が無く、且つかじられた際に適度に破砕され小動物の前歯が伸びることを抑制できる硬さを有するものであれば、木材以外のもの（餌を犬用ガムのように固めたもの等）をかじり体の材質としてもよい。
【００３０】
（係合部３）
図２に示すように、かじり体２には、ケージＣを成すワイヤーＷが係合される係合部３が設けられている。係合部３は、ワイヤーＷに係合されることで、かじり体２をワイヤーＷに、ワイヤーＷを中心として回転自在に装着する。係合部３は、かじり体２の表面から内方に向けて形成されワイヤーＷが押し込まれるワイヤー押込溝３ａと、ワイヤー押込溝３ａの底に形成されワイヤーＷを回転自在に収容するワイヤー収容部３ｂとを有する。
【００３１】
図１（ｂ）に示すように、ワイヤー押込溝３ａの溝幅Ｌ１はワイヤーＷの直径Ｌ２よりも小さく、ワイヤー収容部３ｂの内径Ｌ３はワイヤーＷの直径Ｌ２よりも大きい（Ｌ１＜Ｌ２＜Ｌ３）。例えば、ワイヤーＷの直径Ｌ２が２．３ｍｍの場合、ワイヤー押込溝３ａの溝幅Ｌ１は２．１ｍｍ、ワイヤー収容部３ｂの内径Ｌ３は３ｍｍとなる。但し、この寸法に限れないことは勿論である。ワイヤーＷの直径Ｌ２はケージＣの製造メーカーによって異なる場合があるため、各メーカーのワイヤーＷの直径Ｌ２に応じて、ワイヤー押込溝３ａの溝幅Ｌ１、ワイヤー収容部３ｂの内径Ｌ３を設定する。
【００３２】
ワイヤー押込溝３ａは、図２（ｂ）に示すように、ワイヤーＷを押し込んだ際にワイヤーＷが接触する部分３ａｘの溝幅がワイヤーＷの直径Ｌ２に応じて押し広げられて拡大し、ワイヤーＷがワイヤー押込溝３ａを通過してワイヤー収容部３ｂまで押し込まれることを許容する。また、ワイヤー押込溝３ａは、図２（ｃ）に示すように、ワイヤーＷが通過した後の溝幅がワイヤーＷの直径Ｌ２より小さい溝幅Ｌ１に復元し、ワイヤー収容部３ｂ内のワイヤーＷがワイヤー押込溝３ａを通って外れることを防止する。このワイヤー押込溝３ａの変形は、かじり体２が木材（桐等）から成っているので、その弾性力を利用して成される。
【００３３】
図１（ａ）、図１（ｂ）に示すように、ワイヤー押込溝３ａは、かじり体２である角柱体（四角柱体２１）の側面の中央（角部２ａと平行なライン上）から、側面に直交するようにして、四角柱体２１の中心に向けて形成されている。ワイヤー押込溝３ａは、回転式ノコギリ（電動丸鋸）によって形成される。一方、ワイヤー収容部３ｂは、四角柱体２１の断面（横断面）の重心位置（中心位置）Ｇに形成されている。ワイヤー収容部３ｂは、回転式ドリル（ボール盤）によって形成される。ワイヤー押込溝３ａは、図１（ｂ）に示すように、角柱体（四角柱体２１）を軸方向から見たとき、角柱体（四角柱体２１）の角部２ａとワイヤー収容部３ｂとを結ぶライン（仮想ライン）２ｂと交差するように形成されている。また、かじり体２には、ワイヤー押込溝３ａの開口３ｃと反対側に位置して、ワイヤー押込溝３ｂの深さ方向と直交する押圧面２ｃが形成されている。なお、かじり体２を円柱体とした場合、ワイヤー収容部３ｂは断面の重心位置（円の中心）に形成される。
【００３４】
（作用・効果）
本実施形態に係る小動物用のかじり材１は、図３に示すように、ケージＣのワイヤーＷに係合され、ケージＣ内の床から上方に離間された状態となるので、従来の床置タイプのかじり木Ｘ（図９参照）のように、ケージＣ内の小動物（ウサギ等）の生活床面積を侵食することはない。よって、ケージＣ内で飼われる小動物に対し、かじり材１によって生活床面積が小さくなることによる圧迫感（ストレス）を軽減できる。
【００３５】
かじり材１がケージＣのワイヤーＷに回転自在に装着されるため、図３に示すように、かじり体２の一部（かじり体２の略半分の体積）がケージＣの外方に突出し、かじり体２の残部（略半分の体積）のみがケージＣの内方に突出することになる。従って、このかじり材１によれば、従来のケージ固定タイプのかじり木Ｙ（図１０参照）と比べて、ケージＣの側面からケージＣの内方に突出するかじり材１の体積、即ち、ケージＣ内におけるかじり材１の専有スペースを大幅に削減できる。よって、ケージＣ内で飼われる小動物に対し、かじり材１による三次元的な生活スペースの侵食を大幅に削減できる。
【００３６】
かじり体２がワイヤーＷを中心に回転することで、ケージＣの外方に突出したかじり体２の一部（かじり体２の略半分の体積）がケージＣの内方に移動するので、かじり体２の略全表面をケージＣ内の小動物がかじることができる。すなわち、このかじり材１によれば、ケージＣ内方に突出するかじり体２の体積の略２倍の体積を、ケージＣ内の小動物がかじることができ、かじり体２がケージＣの内方に突出することによる圧迫感を可及的に抑えつつ、かじる部分の体積を最大限に大きくすることができる。よって、このかじり材１によれば、ケージＣ内に突出するかじり体２の専有スペースを小さくすることと、ケージＣ内の小動物がかじり体２のかじる部分を大きくするという、矛盾する命題を両立でき、スペース効率が極めて高いかじり材１を実現できる。
【００３７】
かじり体２は、ワイヤー収容部３ａが角柱体（四角柱体２１）の断面の重心位置Ｇ（重心位置Ｇの近傍を含む概念）に配設されているため、ワイヤーＷを中心としてバランスよく回転する。ここで、新品のかじり材１をワイヤーＷに装着した後、ケージＣ内に突出したかじり体２の一部がウサギ等の小動物によってかじり取られると、その部分が軽くなり、重量がアンバランスとなる。この結果、かじり体２は、その部分（かじり取られて重量が軽くなった部分）が上方に移動するように、ワイヤーＷを中心として回転する。これにより、かじり体２のかじられていない新たな部分がケージＣ内に突出することになり、その新たな部分をケージＣ内の小動物がかじることになる。以降、同様に、かじり取られて一番軽くなった部分が順次上方に移動するようにかじり体２がワイヤーＷを中心に回転するため、ケージＣ内には常にかじり体２のかじり残った部分（一番軽い部分では無い部分）が突出する。よって、かじり体２がワイヤーＷを中心とした周方向に小動物によって略均等にかじり取られていくことになり、長寿命化を図れる。
【００３８】
ワイヤーＷに係合されたかじり材１は、ケージＣ内で飼われているウサギ等の小動物が前足等でワイヤーＷを中心に回転させることもでき、また、小動物がかじる際にかじり体２に加わるかじり力の方向によってもワイヤーＷを中心に回転され得る。よって、このかじり材１は、小動物に対する遊具としての面白みも発揮でき、ケージＣ内で飼われる小動物のストレスを解消する機能も発揮できる。
【００３９】
かじり材１がケージＣのワイヤーＷに装着されることで、ワイヤーＷがかじり体２によって覆われるため、ケージＣ内の小動物がワイヤーＷを直接かじることを防止できる。よって、ワイヤーＷをかじることによる小動物の歯の病気（不正咬合等）や歯の損傷を防止できる。また、ワイヤーＷが塗装されている場合、ワイヤーＷを直接かじることで塗膜を小動物が飲み込んでしまうことによる健康悪化を回避できる。また、ウサギ等の小動物によってかじられるかじり体２は、木材（桐等）のみから構成されており、接着剤等の化学物質を一切を含んでいないので、小動物が仮に飲み込んだとしても化学物質による健康悪化は生じない。
【００４０】
図４に示すように、かじり体２を成す角柱体（四角柱体２１）の断面対角線の長さＡ１は、かじり体２が装着されたワイヤーＷの両隣（上下）のワイヤーＷ同士の間隔Ａ２よりも小さく設定される（Ａ１＜Ａ２）。これにより、かじり体２の回転が確保される。上記断面対角線の長さＡ１は、上記間隔Ａ２の５０％以上（より好ましくは７０％以上）とすることが好ましい。こうすることで、かじり体２をケージＣのワイヤーＷに一本おきに装着しても、かじり体２同士の間において露出したワイヤーＷをウサギ等の小動物がかじることが困難となる。すなわち、ウサギ等の小動物が上下のかじり体２の間に鼻先を入れて露出したワイヤーＷをかじろうとしても、鼻先が上下のかじり体２に引っ掛かって邪魔になるため、露出したワイヤーＷをかじることが困難となる。この結果、各ワイヤーＷの夫々にかじり体２を装着する場合と比べ、かじり体２の装着数を略半分に減らすことができ、低コスト化を図れる。なお、このケージＣではワイヤーＷ同士の間隔Ａ３は２５ｍｍとなっている。
【００４１】
図４に示すように、角柱体（四角柱体２１）を軸方向から見たとき、ワイヤー押込溝３ａは、角柱体（四角柱体２１）の角部２ａとワイヤー収容部３ｂとを結ぶライン（仮想ライン）２ｂに対し、交差するように形成されている。これにより、ケージＣ内で飼われているウサギ等の小動物が角柱体（四角柱体２１）の角部２ａをかじって矢印Ｆで示すように手前側に引っ張った際、その引張力がワイヤー押込溝３ａに沿って作用する事態を回避でき、ワイヤーＷがワイヤー押込溝３ａから抜け難くなる。すなわち、かじり体２が小動物によって矢印Ｆで示すように引っ張られた際、ワイヤーＷは、ワイヤー収容部３ｂの内周面におけるワイヤー押込溝３ａの切れ込み以外の部分に押し付けられるため、ワイヤー押込溝３ａから抜け難い。
【００４２】
図１（ａ）、図１（ｂ）に示すように、ワイヤー押込溝３ａは、かじり体２である角柱体（四角柱体２１）の側面の中央から、側面に直交するようにして、角柱体（四角柱体２１）の重心Ｇ（中心）に向けて形成されている。これにより、かじり体２（四角柱体２１）のワイヤー押込溝３ａが形成された側面と対向する側面が、かじり体２をワイヤーＷに取り付ける際の押圧面２ｃとなる。すなわち、かじり体２（四角柱体２１）には、ワイヤー押込溝３ａの開口３ｃとは反対側の側面に、ワイヤー押込溝３ａの深さ方向と直交する押圧面２ｃが形成されている。図２（ａ）、図２（ｂ）に示すように、押圧面２ｃを矢印Ｎで示すように押圧してワイヤー押込溝３ａをワイヤーＷに押し込むことで、かじり体２に的確にワイヤー押込溝３ａに沿った力を加えることができ、押込性すなわち取付性が向上する。なお、かじり体２を円柱体とした場合、押圧面２ｃは、ワイヤー押込溝３ａの開口３ｃと反対側の側面に形成されることになるが、省略してもよい。
【００４３】
ワイヤー押込溝３ａにケージＣのワイヤーＷを押し込むことでかじり材２をケージＣに装着しており、ネジ等の締結具を用いていないので、ケージＣへの着脱が容易である。ウサギ等の小動物は、個体毎の個性によりケージＣの特定部分のワイヤーＷをかじる習性を有するため、当初はその部分のワイヤーＷにかじり材１を装着することになるが、その後、何等かの原因でかじる位置が変わる場合も多い。この場合、かじり材１の装着位置を容易に変更できる。また、かじられることで損耗したかじり材１を容易にワイヤーＷから取り外し、新品のかじり材１に容易に付け替えることができ、日々のメンテナンスを容易に行える。また、ネジ等の締結具が不要となる分、図１０に示す従来のケージ固定タイプのかじり木Ｙと比べ、低コスト化を図ることができる。
【００４４】
（第１変形例）
図５に、本発明の第１変形例に係るかじり材１１をケージＣのワイヤーＷに装着した様子を示す。このかじり材１１は、かじり体２１を成す角柱体（四角柱体２１）の断面対角線の長さＡ４を図４に示す前実施形態のかじり材１よりも小さくすることで、ケージＣの隣り合うワイヤーＷに装着可能としたものである。上記断面対角線の長さＡ４は、隣り合うワイヤーＷのピッチＡ５よりも小さい。このかじり体２の四角柱体２１の寸法は、縦１．５ｃｍ、横１．５ｃｍ、長さ５ｃｍとなっているが、この寸法に限定されることはない。なお、図５のケージＣは、図４のケージＣと同寸法である。第１変形例に係るかじり材１１は、上述した点を除き、最初の実施形態のかじり材１と構成要素が同一であり、基本的な作用効果は最初の実施形態と同様である。
【００４５】
（第２変形例）
図６に、本発明の第２変形例に係るかじり材１２をケージＣのワイヤー（縦ワイヤーＷＶ）に装着した様子を示す。このかじり材１２は、ケージＣの縦ワイヤーＷＶに装着するため、かじり体２を成す四角柱体２１の軸方向の長さを、横ワイヤーＷＨ同士の間隔よりも小さくしている。第２変形例に係るかじり材１２は、上述した点を除き、最初の実施形態のかじり材１と構成要素が同一であり、基本的な作用効果は最初の実施形態と同様である。なお、ケージＣの横ワイヤーＷＨには、最初の実施形態のかじり材１が同様にして装着されている。
【００４６】
（第３変形例）
図７に、本発明の第３変形例に係るかじり材１３、１４をケージＣ１のワイヤー（縦ワイヤーＷＶ、横ワイヤーＷＨ）に装着した様子を示す。このケージＣ１は、縦ワイヤーＷＶ同士の間隔が横ワイヤーＷＨ同士の間隔よりも狭い。縦ワイヤーＷＶには、最初の実施形態のかじり材１（図３参照）が縦向きに装着され、横ワイヤーＷＨには、第２変形例のかじり材１２（図６参照）が横向きに装着されており、これらが第３変形例のかじり材１３、１４となる。第３変形例に係るかじり材１３、１４は、上述した点を除き、最初の実施形態のかじり材１と構成要素が同一であり、基本的な作用効果は最初の実施形態と同様である。
【００４７】
（その他の変形例）
図８（ａ）〜図８（ｅ）に、本発明のその他の変形例に係るかじり材１５〜１９の断面形状を示す。図８（ａ）のかじり材１５は、かじり体２を三角柱体としたもの、図８（ｂ）のかじり材１６は、かじり体２を五角柱体としたもの、図８（ｃ）のかじり材１７は、かじり体２を六角柱体としたもの、図８（ｄ）のかじり材１８は、かじり体２を断面長方形の角柱体としたものである。なお、かじり体２の断面形状は、七角形以上であってもよい。
【００４８】
かじり体２を奇数角形とした場合には、図８（ａ）、図８（ｂ）に示すように、角部２ａにワイヤー押込溝３ａを形成することが好ましい。その角部２ａと反対側の側面が押圧面２ｃとなり、押圧面２ｃを押圧してかじり体２をワイヤーＷにスムーズに押し込めるからである。また、角部２ａを矢印Ｆで示すように小動物がかじって引っ張った際、その引張力がワイヤー押込溝３ａに沿って作用する事態を回避できるからである。かじり体２を偶数角形とした場合には、図８（ｃ）に示すように、角部２ａではなく側面にワイヤー押込溝を形成することが好ましい。その側面と反対側の側面が押圧面２ｃとなり、押圧面２ｃを押圧してかじり体２をワイヤーＷにスムーズに押し込め、且つ、角部２ａを矢印Ｆで示すように小動物が引っ張った際、その引張力がワイヤー押込溝３ａに沿って作用する事態を回避できるからである。
【００４９】
図８（ｅ）のかじり材１９は、最初の実施形態のかじり材１のワイヤー押込溝３ａの開口３ｃに先広がりのガイド３ｄを形成し、ワイヤーＷへの装着性を高めたものである。ガイド３ｄは、これまで述べた各実施形態のワイヤー押込溝３ａの開口３ｃに形成してもよい。図８（ａ）〜図８（ｅ）に示す変形例のかじり材１５〜１９は、最初の実施形態のかじり材１と基本的な構成要素が同様であり、基本的な作用効果は最初の実施形態と同様である。
【００５０】
以上、添付図面を参照しつつ本発明の好適な実施形態について説明したが、本発明は上述した各実施形態に限定されないことは勿論であり、特許請求の範囲に記載された範疇における各種の変更例又は修正例についても、本発明の技術的範囲に属することは言うまでもない。例えば、かじり材（かじり体）をケージの天井を覆うワイヤーに装着してもよい。また、かじり体を組み木状に分割し、分割片をワイヤーを挟むように組み立てる（圧入、接着等）ことで、かじり体をワイヤーに回転自在に装着することも考えられる。
【産業上の利用可能性】
【００５１】
本発明は、ケージ内で飼育されるウサギ、ハムスター等の物をかじる性質を有する小動物用のかじり材に利用できる。
【符号の説明】
【００５２】
１  かじり材
２  かじり体
２１  角柱体（四角柱体）
２ａ  角部
２ｂ  角部とワイヤー収容部とを結ぶライン
２ｃ  押圧面
３  係合部
３ａ  ワイヤー押込溝
３ａｘ  ワイヤーが接触する部分
３ｂ  ワイヤー収容部
３ｃ  開口
Ｇ  重心位置
【図１】
2014050363.tif 000003
【図２】
2014050363.tif 000004
【図３】
2014050363.tif 000005
【図４】
2014050363.tif 000006
【図５】
2014050363.tif 000007
【図６】
2014050363.tif 000008
【図７】
2014050363.tif 000009
【図８】
2014050363.tif 000010
【図９】
2014050363.tif 000011
【図１０】
2014050363.tif 000012